(57)【要約】【課題】筒状でコンパクトな形態を保持するものでありながら、内部構造が簡単で低コストで製作することのできる新規なドアークローザーを提供すること。【解決手段】弾圧機構５によって閉鎖位置に自動復帰するドアークローザーであって、前記弾圧機構５が、一直線上に配置された強い弾圧力を有する弾機５ａと弱い弾圧力を有する弾機５ｂとの組合わせにより構成され、前記強い弾機５ａは、ドアー１が閉じ方向に回動して閉鎖位置の手前にきた時に最大に伸張してその押圧力がなくなるように設定され、前記弱い弾機５ｂは、強い弾機５ａが最大に伸張してその弾力がなくなった状態からドアー１を弾力的に押しつけてドアーを閉鎖姿勢に強制するように設定されている構造。【選択図】        図１
2004324058.tif 000002
【特許請求の範囲】
【請求項１】
固定枠Ｂに対してヒンジＣを介して回動可能としたドアーＡに取り付けられた筒状ボディ１と、前記固定枠Ｂに取付けられた取付プレート２とから成り、前記筒状ボディ１は、所定ストロークだけ摺動可能に内装されたスライダー３と、該スライダー３を常時後退位置に弾圧する弾圧機構５と、該スライダー３の前端と前記取付プレート２を連結する連結手段６とを備え、前記弾圧機構５の弾圧力によりドアー１が閉鎖位置に自動復帰するように形成されたドアークローザーであって、前記弾圧機構５は、一直線上に配置された強い弾圧力を有する弾機５ａと弱い弾圧力を有する弾機５ｂとの組合わせにより構成され、前記強い弾機５ａは、ドアー１が閉じ方向に回動して閉鎖位置の手前にきた時に最大に伸張してその押圧力がなくなるように設定され、前記弱い弾機５ｂは強い弾機５ａが最大に伸張してその弾力がなくなった状態からドアー１を弾力的に押しつけてドアーを閉鎖姿勢に強制するように設定されているドアークローザー。
【請求項２】
前記強い弾機５ａ並びに弱い弾機５ｂがコイルスプリングで形成され、両者の間にバネ受けスライダー５ｃが設けられている請求項１に記載のドアークローザー。
【請求項３】
前記強い弾機５ａ並びに弱い弾機５ｂの何れが一方が流体圧ダンパーで形成され、他方がコイルスプリングで形成されている請求項１に記載
【発明の詳細な説明】
【０００１】
【発明の属する技術分野】
本発明は、スイングドアーを閉鎖位置に自動復帰させるためのドアークローザーに関するものである。
【０００２】
【従来の技術】
従来、スイングドアーを閉鎖位置に自動復帰させるものとして、ドアーの上部に取り付けられる油圧式のドアークローザーが知られている。
【０００３】
【発明が解決しようとする課題】
この従来のドアークローザーは、油圧機構を内蔵したボディがドアー上部に取り付けられ、このボディから折り曲げ可能な「く」の字状のスイングアームが延設されてその端部が固定枠面に連結されている。しかしこの従来のドアークローザーは、大型で重量があるため取付作業が面倒であると共に、取り付けられた状態においてボディやスイングアームが外部に大きく露出して大変見苦しい、といった欠点がある。
【０００４】
本発明者は、上記の欠点に鑑みて、特開昭１０ー２５９５６号に示すような、ドアーに埋め込んでセットすることができる筒状でコンパクトな形態のドアークローザーを提案したが、内部構造が複雑でコストが高くつくといった問題点があった。
【０００５】
そこで本発明は、ドアーに埋め込んでセットすることのできる筒状でコンパクトな形態を保持するものでありながら、内部構造が簡単で低コストで製作することのできる新規なドアークローザーを提供することを主たる目的とするものである。
【０００６】
【課題を解決するための手段】
上記目的を達成する為に本発明では次のような技術的手段を講じた。即ち、本発明に係るドアークローザーにあっては、固定枠Ｂに対してヒンジＣを介して回動可能としたドアーＡに取り付けられた筒状ボディ１と、前記固定枠Ｂに取付けられた取付プレート２とから成り、前記筒状ボディ１は、所定ストロークだけ摺動自在に内装されたスライダー３と、該スライダー３を常時後退位置に弾圧する弾圧機構５と、該スライダー３の前端と前記取付プレート２を連結する連結手段６とを備え、前記弾圧機構５の弾圧力によりドアー１が閉鎖位置に自動復帰するように形成されたドアークローザーであって、前記弾圧機構５は、一直線上に配置された強い弾圧力を有する弾機５ａと弱い弾圧力を有する弾機５ｂとの組合わせにより構成され、前記強い弾機５ａは、ドアー１が閉じ方向に回動して閉鎖位置の手前にきた時に最大に伸張してその押圧力がなくなるように設定され、前記弱い弾機５ｂは、強い弾機５ａが最大に伸張してその弾力がなくなった状態からドアー１を弾力的に押しつけてドアーを閉鎖姿勢に強制するように設定されている構造とした。
【０００７】
前記強い弾機５ａ並びに弱い弾機５ｂはコイルスプリングで形成するのが好ましく、この場合、両者の間にバネ受けスライダー５ｃを摺動自在に配置するのがよい。
【０００８】
また、前記強い弾機５ａ並びに弱い弾機５ｂの何れが一方を、内部に流体圧とスプリングを内蔵したシリンダーとこの流体圧並びにスプリングによって常時突出方向に弾力が付与されたピストンとからなる流体圧ダンパーで形成し、他方をコイルスプリングで形成するようにしてもよい。
【０００９】
【発明の実施の形態】
以下本発明にかかるドアークローザーを図１〜図４で示した実施例に基づき説明すると、本発明に係るドアークローザーは、ドアーＡに取り付けられた筒状ボディ１と、固定枠Ｂに取付けられた取付プレート２とから成る。前記ドアーＡは固定枠Ｂに対してヒンジＣを介して回動可能に取り付けられている。
【００１０】
前記筒状ボディ１は、前端面（図１の右端）が開口されており、この開口外縁に、ドアーＡに固定するためのフランジ１ａが設けられている。更にボディ１の内部にはボディ１に対して所定ストロークだけ前後方向にスライドできるスライダー３が配置されている。該スライダー３の移動ストロークの規制は、ボディ１に固定されたピン４がスライダー３に穿設された長穴３ａに挿入することによって達成されている。
【００１１】
前記スライダー３は弾圧機構５によって常時ボディ１の奥に向かって、即ちボディ開口部とは反対側の後退位置に弾性的に押しつけられている。また、スライダー３の前端と前記取付プレート２とは連結手段６によって連結されており、ドアー１を開くと連結手段６を介してスライダー３が弾圧機構５を圧縮しながら前方側に引っ張られ、ドアー１から手を離すと弾圧機構５の弾性復元力によりスライダー３が後退位置に復帰してドアー１が閉じるように形成されている。
【００１２】
更に前記弾圧機構５は、一直線上に配置された強い弾圧力を有する弾機５ａと弱い弾圧力を有する弾機５ｂとの組合わせにより構成されている。本実施例では、前記強い弾機５ａ並びに弱い弾機５ｂが共にコイルスプリングで形成されており、両者の間にバネ受けスライダー５ｃがスライド可能に介在されている。更に強い弾機５ａは、ドアー１が閉じ方向に回動して閉鎖位置の手前にきた時に最大に伸張してその押圧力がなくなるように設定され、前記弱い弾機５ｂは強い弾機５ａが最大に伸張してその弾力がなくなった状態からドアー１を押しつけてドアー１が閉じられるように設定されている。
【００１３】
上記の如く構成されたドアークローザーは、図１並びに図２のドアー閉鎖位置からドアー１を開放すると、図３に示すように連結手段を介してスライダー３が弾圧機構５を圧縮しながら前方側に引っ張られ、ドアー１から手を離すと弾圧機構５の弾性復元力によりスライダー３が後退位置に復帰してドアー１が元の閉じ姿勢に復帰する。このドアー１が復帰する際、最初に強い弾機５ａによってドアーが速く閉じ方向に回動するが、この強い弾機５ａはドアー１が閉鎖位置の手前にきた時に最大に伸張してその押圧力がなくなるように設定されているので、ドアー１が完全に閉じ位置に至る前にその押しつけ力がなくなり、その後は弱い弾機５ｂでドアー１を閉じ位置まで回動することになる。従ってドアー１は、閉じ動作の初期において強く速く回動し、閉じ位置手前で減速して緩やかにドアー１を閉じることのできる。これにより大きな衝撃音や振動が生じることを未然に防止することができる。
【００１４】
図５は、ドアー１の開いた位置から閉じた位置までの回動範囲における強い弾機５ａと弱い弾機５ｂの好ましい作動領域を示すものであって、閉じ位置手前の約２５度〜３５度付近で強い弾機５ａが最大に伸張してその押圧力がなくなり、その位置から弱い弾機５ｂの弾力でドアー１が閉じられるように、夫々の弾機５ａ、５ｂの強さ並びに長さを設定するのが好ましい。
【００１５】
本発明では前記連結手段６を、図６で示すようにフレキシブルな紐６’  で形成しても良い。こも場合、紐６’  に隣接するボディ１の開口縁にガイドローラー７を設けて紐の滑りをよくするように配慮するのがこのましい。
【００１６】
上記実施例では強い弾機５ａと弱い弾機５ｂを一組とした弾圧機構５を一つ組み込んだ実施例を示したが、図７に示すように強い弾機５ａと弱い弾機５ｂを一組とした弾圧機構５を二列平行に配置して形成することも可能である。
【００１７】
また、図８に示すように、前記強い弾機５ａ並びに弱い弾機５ｂの何れが一方、例えば強い弾機５ａを、内部に流体圧とスプリングを内蔵したシリンダーとこの流体圧並びにスプリングによって常時突出方向に弾力が付与されたピストンとからなる流体圧ダンパーで形成し、他方の弱い弾機５ｂをコイルスプリングで形成することも可能である。この場合、ダンパーはボディ１内でスライド可能に装着される。
【００１８】
以上本発明の実施例について説明したが、本発明は必ずしもこれらの実施例構造のみに限定されるものではなく、その構成要件を備え、かつ本発明の目的を達成し、下記の効果を奏する範囲内において適宜改変して実施することができるものである。
【００１９】
【発明の効果】
本発明は上記の如く構成したものであるから、強い弾機と弱い弾機による特殊な弾圧機構の作動によってドアーを閉じるときに最初は強く速く回動し、閉じ位置手前で減速して緩やかにドアーを閉じることのでき、これによりドアー閉鎖時に大きな衝撃音や振動が生じることを未然に防止することができるドアークローザーを極めて簡潔な構造で安価に提供することができる、といった顕著な効果がある。
【図面の簡単な説明】
【図１】本発明に係るドアークローザーの一実施例を示すものであって、ドアー並びに固定枠に取り付けられた状態を示す縦断面図。
【図２】上記ドアークローザーの図１同様の水平方向に沿った断面図。
【図３】上記ドアークローザーの開放姿勢を示す図２同様の断面図。
【図４】上記ドアークローザーの開放姿勢の一部分を示す斜視図。
【図５】上記ドアークローザーにおける弾圧機構の作動を示す説明図。
【図６】本発明のドアークローザーの他の実施例を示す図３同様の断面図。
【図７】本発明のドアークローザーの更に他の実施例を示す図１同様の断面図。
【図８】本発明のドアークローザーの更に別のの実施例を示す図１同様の断面図。
【符号の説明】
１  ボディ
２  取付プレート
３  スライダー
５  弾圧機構
５ａ  弾圧機構強い弾機
５ｂ  弾圧機構の弱い弾機
５ｃ  バネ受けスライダー
Ａ  ドアー
Ｂ  固定枠
Ｃ  ヒンジ
【図１】
2004324058.tif 000003
【図２】
2004324058.tif 000004
【図３】
2004324058.tif 000005
【図４】
2004324058.tif 000006
【図５】
2004324058.tif 000007
【図６】
2004324058.tif 000008
【図７】
2004324058.tif 000009
【図８】
2004324058.tif 000010